(57)【特許請求の範囲】
【請求項１】
ホルダ先端部に対し一対の支持アームが互いに接近離間移動可能に設けられ、前記各支持アームは互いに反対方向に付勢する付勢手段にて付勢され、同付勢手段の付勢力により、前記一対の支持アームが替刃カートリッジに設けられた一対の被係合部に対し着脱可能に係合する安全剃刀において、
前記各支持アームは、
前記替刃カートリッジに設けられた被係合部に対して係合可能に設けられた第１の係合部と、
前記第１の係合部とは離間して設けられ、前記替刃カートリッジの各被係合部における前記第１の係合部と係合する側面とは１８０度反対側側面にて係合可能な第２の係合部とを備え、
両係合部にて、各支持アームの長手方向に沿った替刃カートリッジの移動を規制するようにし、
前記被係合部は、前記第１の係合部と前記第２の係合部との間を移動自在に構成されていることを特徴とする安全剃刀。
【請求項２】
前記替刃カートリッジには剃刀刃が設けられ、
前記各第２の係合部に前記各被係合部が係合された状態において、前記各支持アームの先端は前記剃刀刃に対して接触不能とされたことを特徴とする請求項１に記載の安全剃刀。
【発明の詳細な説明】
【０００１】
【発明の属する技術分野】
本発明は、安全剃刀に関するものである。
【０００２】
【従来の技術】
従来から、髭等を剃るために剃刀が使用されている。そして、従来の剃刀として、替刃カートリッジがホルダに対して着脱可能な安全剃刀が知られている。
【０００３】
図７に示すように、従来の安全剃刀は、ホルダ５１と同ホルダ５１に対して着脱可能な図示しない替刃カートリッジとを備えている。前記ホルダ５１の先端部には、図示しない支持ピンを介して一対の支持アーム５２が設けられている。そして、前記各支持アーム５２は、図示しない板バネ等の付勢手段により互いに反対方向に付勢されており、図７において時計方向及び反時計方向にそれぞれ回動自在とされている。また、前記各支持アーム５２の先端には、それぞれ係合突起５３が形成されている。
【０００４】
前記両支持アーム５２間には係合凹部５６を有するプッシャー５５が配置されており、図示しないコイルバネ等の弾性部材を介して替刃カートリッジを押圧可能とされている。
【０００５】
前記ホルダ５１の左右両側面には一対の押しボタン５４が配置されている。そして、前記両押しボタン５４を押圧操作することにより、同両押しボタン５４と前記両支持アーム５２とが一体的に移動自在とされている。
【０００６】
ところで、前記替刃カートリッジにおいて、前記ホルダ５１の両支持アーム５２に対応する部位には、それぞれ前記係合突起５３が係脱可能な係合部が設けられている。一方、前記替刃カートリッジにおいて、前記ホルダ５１のプッシャー５５に対応する部位には、係合凹部５６に嵌合可能な嵌合突部が形成されている。
【０００７】
そして、前記嵌合突部を係合凹部５６に嵌合させた状態で替刃カートリッジをプッシャー５５に対して押圧する。その結果、前記両支持アーム５２の係合突起５３がそれぞれ替刃カートリッジの係合部に係入され、替刃カートリッジはホルダ５１に対して支持される。
【０００８】
【発明が解決しようとする課題】
ところが、上記のような従来の安全剃刀においては、両支持アーム５２の替刃カートリッジの係合部に対応する部位は両係合突起５３のみであった。このため、安全剃刀の使用時に替刃カートリッジを顔面等に押し当てると、前記係合部が前記係合突起５３から離間され、不安定であった。
【０００９】
そこで本発明は、支持アームに対して替刃カートリッジを安定した状態で支持可能な安全剃刀を提供することを目的としている。
【００１０】
【課題を解決するための手段】
上記問題点を解決するために請求項１の発明では、ホルダ先端部に対し一対の支持アームが互いに接近離間移動可能に設けられ、前記各支持アームは互いに反対方向に付勢する付勢手段にて付勢され、同付勢手段の付勢力により、前記一対の支持アームが替刃カートリッジに設けられた一対の被係合部に対し着脱可能に係合する安全剃刀において、前記各支持アームは、前記替刃カートリッジに設けられた被係合部に対して係合可能に設けられた第１の係合部と、前記第１の係合部とは離間して設けられ、前記替刃カートリッジの各被係合部における前記第１の係合部と係合する側面とは１８０度反対側側面にて係合可能な第２の係合部とを備え、両係合部にて、各支持アームの長手方向に沿った替刃カートリッジの移動を規制するようにし、前記被係合部は、前記第１の係合部と前記第２の係合部との間を移動自在に構成されていることを特徴とする安全剃刀をその要旨としている。
【００１２】
請求項２の発明は、請求項１において、前記替刃カートリッジには剃刀刃が設けられ、前記各第２の係合部に前記各被係合部が係合された状態において、前記各支持アームの先端は前記剃刀刃に対して接触不能とされたことをその要旨としている。
【００１４】
（作用）
請求項１の発明では、一対の支持アームに対して替刃カートリッジが装着された安全剃刀において、同替刃カートリッジは、一対の支持アームの両係合部にて各支持アームの長手方向に沿った移動が規制される。
【００１５】
請求項２の発明では、各第２の係合部に各被係合部が係合された状態において、各支持アームの先端は剃刀刃に対して接触不能とされる。
【００１６】
【発明の実施の形態】
以下、本発明を髭剃り等に使用される安全剃刀に具体化した一実施の形態を図１〜図６に従って説明する。
【００１７】
図１に、本実施の形態の安全剃刀１の斜視図を示す。前記安全剃刀１はホルダ２と替刃カートリッジ３とによりほぼＴ字状に形成されている。前記ホルダ２は合成樹脂製の柄部４と、金属製のカバー５とにより構成されている。
【００１８】
図３に示すように、前記柄部４、カバー５の先端部には、それぞれ収容凹部（図３においては柄部４の収容凹部９のみを図示）が形成されている。そして、図１に示す前記柄部４、カバー５を、その収容凹部の開口部を互いに対向させて重ね合わせた状態において、同両収容凹部により収容室１０（図３参照）が形成されている。前記収容凹部９の底部下部には、一対の支持ピン１１が左右に離間して配置されている。尚、図３において、紙面左右をそれぞれ左、右といい、紙面上下をそれぞれ上、下という。
【００１９】
そして、前記各支持ピン１１には一対の支持アーム１２が、図３において時計方向及び反時計方向に回動自在にそれぞれ取り付けられており、各々の先端部が互いに接近離間可能とされている。そして、前記各支持アーム１２の先端は収容室１０の上端に形成された開口部からホルダ２上方へ突出されている。
【００２０】
前記各支持アーム１２の先端には、互いに外方に向かって鉤形に形成された第１の係合部としての第１の係合突起１３が配置されている。一方、前記各支持アーム１２において第１の係合突起１３よりも基端寄り位置には、第２の係合部としての第２の係合突起１４が互いに外方に向かって形成されている。
【００２１】
また、前記各支持アーム１２には、それぞれ先端から内方に向かって傾斜部１５が延出されており、内方に向かうほど互いの傾斜部１５に近づくように形成されている。そして、前記各傾斜部１５の終端には、外周面が円弧状に面取りされた延出部１６がそれぞれ形成されている。さらに、前記各支持アーム１２において第２の係合突起１４よりも基端寄り位置には、それぞれ突出部１７が互いに外方に向かって形成されている。前記各突出部１７には押しボタン２０がそれぞれ嵌合されている。
【００２２】
前記柄部４、カバー５の左右両側壁（収容室１０を区画する左右両側壁）には、それぞれ互いに対向した切欠部（図３においては柄部４の切欠部２１のみを図示）が形成されている。そして、前記両切欠部により収容室１０と連通された貫通孔１８（図３参照）がそれぞれ形成されている。前記各貫通孔１８には、前記押しボタン２０がそれぞれ遊挿されている。前記両押しボタン２０の外端は、それぞれ前記柄部４、カバー５の左右両側面から突出されて、外部から押圧操作可能とされている。
【００２３】
前記収容室１０を区画する柄部４の下部内側面中央には、上方に向かってバネ受突起２３が突設されている。前記バネ受突起２３の上面にはバネ受凹部２４が形成されている。
【００２４】
前記収容室１０の下部において前記両支持アーム１２間には、断面がほぼＶ字状に形成された付勢手段としての板バネ２２が配置されており、その中央の屈曲部は前記バネ受凹部２４に当接されている。前記板バネ２２は、各端部が各支持アーム１２の互いに対向する内側面にそれぞれ当接されることにより、同両支持アーム１２をそれぞれ外方に付勢している。
【００２５】
前記柄部４において、前記板バネ２２の配置位置を挟んで前記バネ受突起２３とは反対側の位置には、断面Ｌ字状をなす当接部材２５が突設されている。そして、図３の実線で示す両支持アーム１２が平行に配置されている状態においては、前記当接部材２５の脚部２８の上面にプッシャー２６の下端が当接されている。
【００２６】
前記プッシャー２６は、前記両支持アーム１２間において柄部４寄りに配置されている。前記プッシャー２６には、中央から下部に亘ってバネ収容溝２７が形成されている。
【００２７】
前記バネ収容溝２７の下端寄りにおいて収容凹部９の底部には、バネ受部材３０が突設されている。そして、前記バネ受部材３０の上面と前記バネ収容溝２７の内頂面との間には、圧縮コイルバネ２９が配置されている。前記圧縮コイルバネ２９により、プッシャー２６は上方へ付勢されている。
【００２８】
前記プッシャー２６の中央においてカバー５側の面には、断面がほぼＬ字状をなす一対の係入部３２が形成されている。前記係入部３２は、前記両支持アーム１２がそれぞれ内方に回動された状態において、延出部１６と係合可能とされている。一方、前記両支持アーム１２が平行に配置されている状態においては、圧縮コイルバネ２９により、前記係合部３２の上端は前記延出部１６の下端に当接されている。また、前記プッシャー２６の上端には係合凹部３３が形成されている。
【００２９】
次に替刃カートリッジ３について説明する。前記替刃カートリッジ３は刃台４０を備えている。
図４に示すように、前記刃台４０において、前記ホルダ２の各支持アーム１２に対応する部位には、左右に互いに離間した一対の被係合部としての係合部３４がそれぞれ設けられている。前記各係合部３４の上面には、前記支持アーム１２の第１の係合突起１３を係脱可能な係合凹部３５がそれぞれ断面半円状に形成されている。
【００３０】
そして、図５に示すように、図３の実線で示す両支持アーム１２が平行に配置されている状態において、各支持アーム１２の第１の係合突起１３がそれぞれ係合部３４に係合されている。そして、前記替刃カートリッジ３の一対の係合部３４は、前記一対の第１の係合突起１３と前記一対の第２の係合突起１４との間を移動自在とされている。
【００３１】
一方、図４に示すように、前記刃台４０において、前記ホルダ２のプッシャー２６に対応する部位には嵌合部３６が設けられている。前記嵌合部３６の下面には、前記プッシャー２６の係合凹部３３に対して嵌合可能な嵌合突部３７が形成されている。
【００３２】
そして、図５に示すように、図３の実線で示す両支持アーム１２が平行に配置されている状態において、嵌合部３６がプッシャー２６に対して嵌合されている。ここで、前記圧縮コイルバネ２９の弾性力によりプッシャー２６が押圧されているため、同プッシャー２６の上端は嵌合部３６の係止段部４１に当接されている。また、前記各第１の係合突起１３の下端は係合凹部３５にそれぞれ当接されている。そして、前記各係合凹部３５は断面半円状に形成されているため、替刃カートリッジ３は第１の係合突起１３に対して、図６において時計方向及び反時計方向に回動自在に支持されており、首振り可能とされている。
【００３３】
また、図１に示すように、前記替刃カートリッジ３の上部には、髭等を剃るための一対の剃刀刃３８が設けられており、同両剃刀刃３８の上方には複数の安全ガード３９が設けられている。そして、図６に示すように、前記一対の第２の係合突起１４の上端に前記一対の係合部３４の下面が当接された状態において、前記各支持アーム１２の先端は剃刀刃３８に対して接触不能とされている。
【００３４】
次に、上記のように構成された本実施の形態の安全剃刀１の作用を説明する。
安全剃刀１を使用して髭等を剃る場合には、図１に示すように、まずホルダ２に替刃カートリッジ３を装着する。前記ホルダ２に対して替刃カートリッジ３を装着するときには、ホルダ２に装着された一対の押しボタン２０を内方に押圧する。
【００３５】
すると、両支持アーム１２が板バネ２２の弾性力に抗して、図３の実線で示す互いに平行に配置された状態から、支持ピン１１の軸心を回動中心として同図において、左側の支持アーム１２は時計方向に、右側の支持アーム１２は反時計方向に回転する。
【００３６】
このとき、前記支持アーム１２の延出部１６によるプッシャー２６の上方への移動の規制が解除されるため、プッシャー２６は圧縮コイルバネ２９の弾性力により上方へ移動する。そして、前記各支持アーム１２の延出部１６が係入部３２にそれぞれ係入され、この結果、プッシャー２６は２点鎖線で示す状態で停止する。このとき、前記各支持アーム１２は板バネ２２の弾性力により外方へ付勢されて、延出部１６が係入部３２に対して外方へ押圧しているため、図３の２点鎖線で示す位置にて保持される。
【００３７】
そして、この状態で、替刃カートリッジ３の刃台４０に形成された嵌合突部３７をプッシャー２６の係合凹部３３に対して嵌合させて、替刃カートリッジ３を下方に押圧する。すると、刃台４０の係止段部４１が、プッシャー２６の上端を圧縮コイルバネ２９の弾性力に抗して押圧する。
【００３８】
すると、前記プッシャー２６が下方に移動することにより、同プッシャー２６の係入部３２が下方に移動するため、同係入部３２による延出部１６の拘束が解除される。このため、板バネ２２の弾性力により両支持アーム１２がそれぞれ外方に押圧され、図５に示すように、各支持アーム１２の第１の係合突起１３がそれぞれ係合凹部３５に係入される。
【００３９】
そして、替刃カートリッジ３に対する下方への押圧が解除された状態では、圧縮コイルバネ２９の弾性力によりプッシャー２６の上端が刃台４０の係止段部４１に当接されるとともに、各第１の係合突起１３の下端がそれぞれ係合凹部３５下面に当接される。その結果、替刃カートリッジ３がホルダ２に対して第１の係合突起１３の周りで回動自在に支持される。
【００４０】
さて、替刃カートリッジ３がホルダ２に装着された安全剃刀１を使用して髭等を剃る場合には、替刃カートリッジ３の上面全体を顔面等に押し当てる。すると、刃台４０の係止段部４１が、圧縮コイルバネ２９の弾性力に抗してプッシャー２６の上端を押圧する。
【００４１】
すると、刃台４０の各係合凹部３５下面が各第１の係合突起１３に対してそれぞれ離間し、やがて、各係合部３４の下面は各第２の係合突起１４の上端にそれぞれ当接される。このとき、各支持アーム１２の先端は、剃刀刃３８に対して接触不能とされる。
【００４２】
一方、顔面等の凹凸により替刃カートリッジ３の上面において、両支持アーム１２のうち一方の支持アーム１２に対応する側のみが顔面等に接触した状態で、替刃カートリッジ３を顔面等に押し当てると、次のようになる。
【００４３】
刃台４０の係止段部４１が、圧縮コイルバネ２９の弾性力に抗してプッシャー２６の上端を押圧する。
すると、刃台４０の両係合凹部３５のうち一方の係合凹部３５下面が、それに対応する第１の係合突起１３に対して離間し、やがて、一方の係合部３４の下面は、それに対応する第２の係合突起１４の上端に当接される。このとき、他方の係合部３４の係合凹部３５下面には、それに対応する第１の係合突起１３が当接される。すなわち、前記替刃カートリッジ３はホルダ２に対して、ホルダ２の軸心に対して直交する平面から傾いた状態で支持される。
【００４４】
そして、この状態においても、各支持アーム１２の先端は剃刀刃３８に対して接触不能とされる。
また、替刃カートリッジ３の交換時には、ホルダ２に装着された一対の押しボタン２０を内方に押圧する。すると、各支持アーム１２が図３の実線で示す状態から図３の２点鎖線で示す状態に移動する。
【００４５】
このとき、前記各支持アーム１２の第１の係合突起１３が、それぞれ替刃カートリッジ３の係合凹部３５から外れ、替刃カートリッジ３はホルダ２に対する支持を失う。また、このとき、プッシャー２６が圧縮コイルバネ２９の弾性力により上方へ移動し、プッシャー２６の上端が替刃カートリッジ３の係止段部４１を押圧する。このため、替刃カートリッジ３の交換時には、替刃カートリッジ３はホルダ２から容易に外れる。
【００４６】
以上詳述したように、本実施の形態の安全剃刀１によれば、以下の効果を得ることができる。
（１）替刃カートリッジ３の各係合部３４は、支持アーム１２の第１及び第２の係合突起１３、１４によりそれぞれ上下の移動が規制されるため、替刃カートリッジ３をホルダ２に対して安定した状態で支持することができる。
【００４７】
（２）安全剃刀１の使用時には、各支持アーム１２の先端は、それぞれ剃刀刃３８に対して接触不能とされるため、不用意に剃刀刃３８がずれるのを防止することができる。
【００４８】
尚、本発明の実施形態は以下のように変更してもよく、その場合にも同様の作用および効果が得られる。
（１）上記実施の形態では、各支持アーム１２を、各第１の係合突起１３及び各第２の係合突起１４がそれぞれ互いに外方に向かって突出するように配置したが、互いに内方に向かって突出するように配置してもよい。
【００４９】
（２）上記実施の形態では、各押しボタン２０にそれぞれ支持アーム１２の突出部１７を収容し、両押しボタン２０を押圧操作したが、両押しボタン２０を省略して突出部１７を直接押圧操作してもよい。
【００５０】
（３）上記実施の形態では、プッシャー２６にバネ収容溝２７を形成し、圧縮コイルバネ２９を配置したが、プッシャー２６の代わりにコイルバネ等の弾性部材を使用して、圧縮コイルバネ２９を省略してもよい。
【００５１】
以上、この発明の実施の各形態について説明したが、各形態から把握できる請求項以外の技術思想について、以下にそれらの効果とともに記載する。
（１）前記ホルダには係合凹部を有する押圧部材が備えられるとともに、前記替刃カートリッジには前記係合凹部に対して嵌合可能な嵌合突部が形成されたことを特徴とする安全剃刀。
【００５２】
このようにすれば、ホルダに対する替刃カートリッジの装着時において、位置合わせが容易に実行できる。
前記実施の形態において、プッシャー２６は押圧部材を構成する。
【００５３】
（２）前記替刃カートリッジがホルダに対して、同ホルダの軸心に対して直交する平面から傾いた状態で支持され、前記両第１の係合部のうちいずれか一方の第１の係合部が、同第１の係合部に対応する被係合部から離間したときにおいて、
前記一方の第１の係合部が設けられた支持アームの先端は、前記剃刀刃に対して接触不能とされたことを特徴とする安全剃刀。
【００５４】
このようにすれば、替刃カートリッジがホルダに対して、同ホルダの軸心に対して直交する平面から傾いた状態で支持されたときにおいて、不用意に剃刀刃がずれるのを防止することができる。
【００５５】
【発明の効果】
以上詳述したように請求項１に記載の発明によれば、一対の支持アームに対して替刃カートリッジが装着された安全剃刀において、替刃カートリッジは、両係合部にて各支持アームの長手方向に沿った移動が規制されるため、替刃カートリッジをホルダに対して安定した状態で支持することができる。
【００５６】
請求項２に記載の発明によれば、請求項１に記載の発明の効果に加えて、不用意に剃刀刃がずれるのを防止することができる。
【図面の簡単な説明】
【図１】  本実施の形態の安全剃刀の斜視図。
【図２】  同じくホルダの正面図。
【図３】  同じくホルダの要部断面図。
【図４】  同じく刃台の斜視図。
【図５】  同じくホルダと刃台との位置関係を示す要部断面図。
【図６】  同じくホルダと刃台との位置関係を示す要部断面図。
【図７】  従来のホルダの正面図。
【符号の説明】
１…安全剃刀、２…ホルダ、３…替刃カートリッジ、１２…支持アーム、１３…第１の係合部としての第１の係合突起、１４…第２の係合部としての第２の係合突起、２２…付勢手段としての板バネ、３４…被係合部としての係合部、３８…剃刀刃。
【図１】
0004034861.tif 000002
【図２】
0004034861.tif 000003
【図３】
0004034861.tif 000004
【図４】
0004034861.tif 000005
【図５】
0004034861.tif 000006
【図６】
0004034861.tif 000007
【図７】
0004034861.tif 000008